【手続補正書】
【提出日】平成30年8月23日(2018.8.23)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
少なくとも１つの第２のティアシステムによる使用のために利用可能な第２のティアスペクトルリソースを決定するために、未使用の第１のティアスペクトルリソースのインジケーションを、少なくとも１つの第１のティアシステムからスペクトルコントローラにおいて受信することと、
前記少なくとも１つの第２のティアシステムに前記第２のティアスペクトルリソースを割り振ることと、
前記第２のティアスペクトルリソースを割り振った後に前記少なくとも１つの第２のティアシステムから、前記スペクトルコントローラにおいて、前記割り振られた第２のティアスペクトルリソースから決定された未使用の第２のティアスペクトルリソースのインジケーションを受信することと、
前記未使用の第２のティアスペクトルリソースに少なくとも部分的に基づいて、少なくとも１つの第３のティアシステムによる使用のために利用可能な第３のティアスペクトルリソースを前記スペクトルコントローラにおいて決定することと、
前記少なくとも１つの第３のティアシステムに前記第３のティアスペクトルリソースを割り振ることと
を備える方法。
【請求項２】
前記少なくとも１つの第３のティアシステムによる使用のために利用可能な前記第３のティアスペクトルリソースのインジケーションを第３のティアスペクトルコントローラに送信することをさらに備える、請求項１に記載の方法。
【請求項３】
第１のティアスペクトルは、インカンベントシステムのために指定され、
第２のティアスペクトルは、優先アクセスシステムのために指定され、
第３のティアスペクトルは、一般アクセスシステムのために指定される、請求項２に記載の方法。
【請求項４】
第１のティアスペクトルリソース、前記割り振られた第２のティアスペクトルリソース、またはこれらの組み合わせのうちの少なくとも１つの変更された使用に対して利用可能な第３のティアスペクトルリソースの量を更新することをさらに備える、請求項２に記載の方法。
【請求項５】
第２のティアスペクトルは、第１のティアスペクトルから隠された予約済みスペクトルリソースを備える、請求項１に記載の方法。
【請求項６】
第２のティアスペクトルは、第３のティアスペクトルから隠された予約済みスペクトルリソースを備える、請求項１に記載の方法。
【請求項７】
前記少なくとも１つの第２のティアシステムによって使用される前記第２のティアスペクトルリソースを決定するために、前記少なくとも１つの第２のティアシステムからスペクトル情報を受信することをさらに備える、請求項１に記載の方法。
【請求項８】
スペクトル管理方式に少なくとも部分的に基づいて、前記少なくとも１つの第３のティアシステム、前記少なくとも１つの第２のティアシステム、前記少なくとも１つの第１のティアシステム、またはこれらの組み合わせのうちの少なくとも１つの間でスペクトルリソースを割り振ることをさらに備える、請求項１に記載の方法。
【請求項９】
スペクトルリソース割振りは、システム間のリソースの境界または動的割振りに少なくとも部分的に基づく、請求項８に記載の方法。
【請求項１０】
特定のティアにおける未使用スペクトルリソースは、前記特定のティア中で動作するシステムから受信された報告に少なくとも部分的に基づいて決定される、請求項１に記載の方法。
【請求項１１】
特定のティアの未使用スペクトルリソースは、無線測定値に少なくとも部分的に基づいて決定される、請求項１に記載の方法。
【請求項１２】
異なる無線特性が各ティア中のシステムに割り当てられ、前記特定のティアによって使用される特定のスペクトルリソースは、前記割り当てられた無線特性を使用している前記特定のスペクトルリソースの前記無線測定値に少なくとも部分的に基づいて識別される、請求項１１に記載の方法。
【請求項１３】
前記無線特性は、少なくとも、無線アクセス技術（ＲＡＴ）、キャリア周波数、送信帯域幅、前記特定のティアを識別する特定の波形またはシーケンス、あるいはこれらの組み合わせを備える、請求項１２に記載の方法。
【請求項１４】
ワイヤレス通信のためのスペクトルコントローラであって、
前記スペクトルコントローラは、
メモリと、
前記メモリに結合された少なくとも１つのプロセッサと、
を備え、
前記少なくとも１つのプロセッサは、
少なくとも１つの第２のティアシステムによる使用のために利用可能な第２のティアスペクトルリソースを決定するために、未使用の第１のティアスペクトルリソースのインジケーションを、少なくとも１つの第１のティアシステムから受信することと、
前記少なくとも１つの第２のティアシステムに前記第２のティアスペクトルリソースを割り振ることと、
前記第２のティアスペクトルリソースを割り振った後に前記少なくとも１つの第２のティアシステムから、前記割り振られた第２のティアスペクトルリソースから決定された未使用の第２のティアスペクトルリソースのインジケーションを受信することと、
前記未使用の第２のティアスペクトルリソースに少なくとも部分的に基づいて、少なくとも１つの第３のティアシステムによる使用のために利用可能な第３のティアスペクトルリソースを前記スペクトルコントローラにおいて決定することと、
前記少なくとも１つの第３のティアシステムに前記第３のティアスペクトルリソースを割り振ることと
を行うように構成された、スペクトルコントローラ。
【請求項１５】
前記少なくとも１つのプロセッサは、前記少なくとも１つの第３のティアシステムによる使用のために利用可能な前記第３のティアスペクトルリソースのインジケーションを第３のティアスペクトルコントローラに送信するようにさらに構成された、請求項１４に記載のスペクトルコントローラ。
【請求項１６】
第１のティアスペクトルは、インカンベントシステムのために指定され、
第２のティアスペクトルは、優先アクセスシステムのために指定され、
第３のティアスペクトルは、一般アクセスシステムのために指定される、請求項１５に記載のスペクトルコントローラ。
【請求項１７】
前記少なくとも１つのプロセッサは、第１のティアスペクトルリソース、前記第２のティアスペクトルリソース、またはこれらの組み合わせのうちの少なくとも１つの変更された使用に対して利用可能な第３のティアスペクトルリソースの量を更新するようにさらに構成された、請求項１５に記載のスペクトルコントローラ。
【請求項１８】
第２のティアスペクトルは、第１のティアスペクトルから隠された予約済みスペクトルリソースを備える、請求項１４に記載のスペクトルコントローラ。
【請求項１９】
第２のティアスペクトルは、第３のティアスペクトルから隠された予約済みスペクトルリソースを備える、請求項１４に記載のスペクトルコントローラ。
【請求項２０】
前記少なくとも１つのプロセッサは、前記少なくとも１つの第２のティアシステムによって使用される前記第２のティアスペクトルリソースを決定するために、少なくとも１つの第２のティアシステムからスペクトル情報を受信するようにさらに構成された、請求項１４に記載のスペクトルコントローラ。
【請求項２１】
前記少なくとも１つのプロセッサは、スペクトル管理方式に少なくとも部分的に基づいて、前記少なくとも１つの第３のティアシステム、前記少なくとも１つの第２のティアシステム、前記少なくとも１つの第１のティアシステム、またはこれらの組み合わせのうちの少なくとも１つの間でスペクトルリソースを割り振るようにさらに構成された、請求項１４に記載のスペクトルコントローラ。
【請求項２２】
スペクトルリソース割振りは、システム間のリソースの境界または動的割振りに少なくとも部分的に基づく、請求項２１に記載のスペクトルコントローラ。
【請求項２３】
特定のティアにおける未使用スペクトルリソースは、前記特定のティア中で動作するシステムから受信された報告に少なくとも部分的に基づいて決定される、請求項１４に記載のスペクトルコントローラ。
【請求項２４】
特定のティアの未使用スペクトルリソースは、無線測定値に少なくとも部分的に基づいて決定される、請求項１４に記載のスペクトルコントローラ。
【請求項２５】
異なる無線特性が各ティア中のシステムに割り当てられ、前記特定のティアによって使用される特定のスペクトルリソースは、前記割り当てられた無線特性を使用している前記特定のスペクトルリソースの前記無線測定値に少なくとも部分的に基づいて識別される、請求項２４に記載のスペクトルコントローラ。
【請求項２６】
前記無線特性は、無線アクセス技術（ＲＡＴ）、キャリア周波数、送信帯域幅、前記特定のティアを識別する特定の波形またはシーケンス、あるいはこれらの組み合わせのうちの少なくとも１つを備える、請求項２５に記載のスペクトルコントローラ。
【請求項２７】
ワイヤレス通信のための装置であって、
少なくとも１つの第２のティアシステムによる使用のために利用可能な第２のティアスペクトルリソースを決定するために、未使用の第１のティアスペクトルリソースのインジケーションを、少なくとも１つの第１のティアシステムからスペクトルコントローラにおいて受信するための手段と、
前記少なくとも１つの第２のティアシステムに前記第２のティアスペクトルリソースを割り振るための手段と、
前記第２のティアスペクトルリソースを割り振った後に前記少なくとも１つの第２のティアシステムから、前記スペクトルコントローラにおいて、前記割り振られた第２のティアスペクトルリソースから決定された未使用の第２のティアスペクトルリソースのインジケーションを受信するための手段と、
前記未使用の第２のティアスペクトルリソースに少なくとも部分的に基づいて、少なくとも１つの第３のティアシステムによる使用のために利用可能な第３のティアスペクトルリソースを前記スペクトルコントローラにおいて決定するための手段と、
前記少なくとも１つの第３のティアシステムに前記第３のティアスペクトルリソースを割り振るための手段と
を備える装置。
【請求項２８】
ワイヤレス通信のための、その上に記憶されたプログラムコードを有する非一時的コンピュータ可読媒体を備え、
前記プログラムコードは、プロセッサによって実行され、
少なくとも１つの第２のティアシステムによる使用のために利用可能な第２のティアスペクトルリソースを決定するために、未使用の第１のティアスペクトルリソースのインジケーションを、少なくとも１つの第１のティアシステムからスペクトルコントローラにおいて受信するためのプログラムコードと、
前記少なくとも１つの第２のティアシステムに前記第２のティアスペクトルリソースを割り振るためのプログラムコードと、
前記第２のティアスペクトルリソースを割り振った後に前記少なくとも１つの第２のティアシステムから、前記スペクトルコントローラにおいて、前記割り振られた第２のティアスペクトルリソースから決定された未使用の第２のティアスペクトルリソースのインジケーションを受信するためのプログラムコードと、
前記未使用の第２のティアスペクトルリソースに少なくとも部分的に基づいて、少なくとも１つの第３のティアシステムによる使用のために利用可能な第３のティアスペクトルリソースを前記スペクトルコントローラにおいて決定するためのプログラムコードと、
前記少なくとも１つの第３のティアシステムに前記第３のティアスペクトルリソースを割り振るためのプログラムコードと
を備える、非一時的コンピュータ可読媒体。